(57)【要約】 【課題】電子血圧計において、複数のカテゴリー条件を指定して蓄積された血圧データを読出し・表示する場合に、操作ボタンの数を極力少なくすること。【解決手段】電子血圧計を、血圧を測定する血圧測定手段と、時刻を含む時間情報を供給する計時手段と、血圧測定手段により測定された血圧データを含む情報を表示する表示手段と、血圧測定手段により測定された血圧データと、血圧データが測定されたときの条件を示す条件データ、および、計時手段による時間情報とを関連付けて記憶する記憶手段と、記憶手段に記憶された複数の血圧データについての条件を操作する条件操作部であって、複数の設定条件を有する条件選択手段を複数有してなる条件操作部と、条件操作部が操作された場合に、条件選択手段で指定された少なくともふたつの設定条件のいずれをも満たす血圧データを時系列に表示手段に表示する記憶読出し部を有するように構成した。【選択図】図６（Ａ）
2012200512.tif 000002
【特許請求の範囲】
【請求項１】
血圧を測定する血圧測定手段と、
時刻を含む時間情報を供給する計時手段と、
前記血圧測定手段により測定された血圧データを含む情報を表示する表示手段と、
前記血圧測定手段により測定された血圧データと、前記血圧データが測定されたときの条件を示す条件データ、および、前記計時手段による時間情報とを関連付けて記憶する記憶手段と、
前記記憶手段に記憶された複数の血圧データについての条件を操作する条件操作部であって、複数の設定条件を有する条件選択手段を複数有してなる条件操作部と、
前記条件操作部が操作された場合に、前記条件選択手段で指定された少なくとも二つの設定条件のいずれをも満たす血圧データを時系列に前記表示手段に表示する記憶読出し部と、
を有する電子血圧計。
【請求項２】
前記条件データが、前記電子血圧計のユーザに関する条件を含むことを特徴とする請求項１に記載の電子血圧計。
【請求項３】
前記条件選択手段の条件が、前記電子血圧計が使用される、１日のうちの特定の時間帯に関する条件を含むことを特徴とする請求項１または２に記載の電子血圧計。
【請求項４】
前記条件選択手段の条件が、血圧の分類に関する条件を含むことを特徴とする請求項１ないし３のいずれか1項に記載の電子血圧計。
【請求項５】
前記条件選択手段の条件が、週または月ごとの血圧データに関する条件を含むことを特徴とする請求項１ないし４のいずれか1項に記載の電子血圧計。
【請求項６】
血圧を測定する血圧測定手段と、
時刻を含む時間情報を供給する計時手段と、
前記血圧測定手段により測定された血圧データを含む情報を表示する表示手段と、
前記血圧測定手段により測定された血圧データと、前記血圧データが測定されたときの条件を示す条件データ、および、前記計時手段による時間情報とを関連付けて記憶する記憶手段と、
前記記憶手段に記憶された複数の血圧データについての条件を操作する条件操作部であって、複数の設定条件を有する条件選択手段を複数有してなる条件操作部と、を有し、
前記条件操作部が操作された場合に、前記条件選択手段で指定された少なくとも二つの設定条件のいずれをも満たす血圧データを時系列に前記表示手段に表示することを特徴とする電子血圧計のデータ表示方法。 
【発明の詳細な説明】
【技術分野】
【０００１】
本発明は、電子血圧計および電子血圧計のデータ表示方法に関し、特に、血圧値の変動を知ることのできる電子血圧計および電子血圧計のデータ表示方法に関する。
【背景技術】
【０００２】
近年、高血圧を要因とする生活習慣病が増加傾向にあり、健康管理の指標として血圧値が用いられることが一般的となっている。かかる状況下、血圧管理が重要となっており、特にその時系列的変化（トレンド）を把握していることが重要となっている。
そのため、電子血圧計においては、記憶装置を内蔵し、血圧データと時刻データとを関連付けて記憶することが必須の機能となってきている。この場合、当該電子血圧計に記憶された多量の血圧データのうちから、測定時刻等の所望する条件で、測定された血圧データを効率的に検索して表示する機能が重要となってきている。
【０００３】
かかる問題に対処した従来技術として、特許文献１の電子血圧計がある。
【０００４】
特許文献１に記載された電子血圧計では、血圧データとその血圧データに関する条件を示す条件データとを関連付けてメモリに格納する。
そして、メモリから所望条件の血圧データを読出・表示させるための操作部を有し、操作部で条件を設定すると、当該操作部で指定された条件に関連付けされた血圧データをメモリから読出し、表示部に表示する。
特許文献１のように構成することにより、メモリからの血圧データの読出しの指示と、条件の指定が兼用化され、個別に操作する必要がなくなる。
【先行技術文献】
【特許文献】
【０００５】
【特許文献１】特開２００７−０４４４３７号公報
【発明の概要】
【発明が解決しようとする課題】
【０００６】
しかしながら、特許文献１では、複数の条件カテゴリー中の一つのカテゴリーについて条件を指定し、その条件についての血圧データを表示するようになっている。すなわち、複数のカテゴリーを同時に指定して、いずれの条件をも満たすような血圧データの表示を行うものではない。
したがって、例えば、２つの選択条件を有する条件カテゴリーが２つある場合、操作ボタンが２×２で４つ必要となる。
近年、電子血圧計は益々小型化される傾向にある中、各種操作ボタンに割り当てられるスペースも限られつつあり、また多すぎるボタンは煩雑さも招くので、ボタンの数は極力少なくする必要がある。また、ボタンの数が多いことはコスト的にも不利である。
【０００７】
本発明は、以上のような背景技術に鑑みて、蓄積された血圧データを読出し・表示する場合において、複数の条件カテゴリーのいずれをも満たすような条件操作を可能とし、併せて操作ボタンの数を極力少なくすることを目的としている。
【課題を解決するための手段】
【０００８】
上述した課題を解決し、目的を達成するため、本発明にかかる電子血圧計は、血圧を測定する血圧測定手段と、時刻を含む時間情報を供給する計時手段と、前記血圧測定手段により測定された血圧データを含む情報を表示する表示手段と、前記血圧測定手段により測定
された血圧データと、前記血圧データが測定されたときの条件を示す条件データ、および、前記計時手段による時間情報とを関連付けて記憶する記憶手段と、前記記憶手段に記憶された複数の血圧データについての条件を操作する条件操作部であって、複数の設定条件を有する条件選択手段を複数有してなる条件操作部と、前記条件操作部が操作された場合に、前記条件選択手段で指定された少なくともふたつの設定条件のいずれをも満たす血圧データを時系列に前記表示手段に表示する記憶読出し部と、を有する。
上述した課題を解決し、目的を達成するため、本発明にかかる電子血圧計は、前記条件データが、前記電子血圧計のユーザに関する条件を含むことを特徴とする。
上述した課題を解決し、目的を達成するため、本発明にかかる電子血圧計は、前記条件選択手段の条件が、前記電子血圧計が使用される、１日のうちの特定の時間帯に関する条件を含むことを特徴とする。
上述した課題を解決し、目的を達成するため、本発明にかかる電子血圧計は、前記条件選択手段の条件が、血圧の分類に関する条件を含むことを特徴とする。
上述した課題を解決し、目的を達成するため、本発明にかかる電子血圧計は、前記条件選択手段の条件が、週または月ごとの血圧データに関する条件を含むことを特徴とする。
上述した課題を解決し、目的を達成するため、本発明にかかる電子血圧計のデータ表示方法は、血圧を測定する血圧測定手段と、時刻を含む時間情報を供給する計時手段と、前記血圧測定手段により測定された血圧データを含む情報を表示する表示手段と、前記血圧測定手段により測定された血圧データと、前記血圧データが測定されたときの条件を示す条件データ、および、前記計時手段による時間情報とを関連付けて記憶する記憶手段と、
前記記憶手段に記憶された複数の血圧データについての条件を操作する条件操作部であって、複数の設定条件を有する条件選択手段を複数有してなる条件操作部と、を有し、前記条件操作部が操作された場合に、前記条件選択手段で指定された少なくともふたつの設定条件のいずれをも満たす血圧データを時系列に前記表示手段に表示することを特徴とする。
【発明の効果】
【０００９】
本発明の電子血圧計および電子血圧計のデータ表示方法によれば、蓄積された血圧データを読出し・表示する場合において、複数の条件カテゴリーのいずれをも満たすような条件操作を可能とするとともに、操作ボタンの数を極力少なくすることが可能となる利点がある。
【図面の簡単な説明】
【００１０】
【図１】本発明の実施形態１にかかる電子血圧計の斜視図である。
【図２】本発明の実施形態１にかかる電子血圧計のハードウエア構成を示すブロック図である。
【図３】本発明の実施形態１にかかる電子血圧計の操作部の平面図である。
【図４】本発明の実施形態１にかかる血圧測定のフローチャートである。
【図５】本発明の実施形態１にかかる記憶部の構成を示す概念図である。
【図６（Ａ）】本発明の実施形態１にかかる読出し・表示のフローチャートの前半部である。
【図６（Ｂ）】本発明の実施形態１にかかる読出し・表示のフローチャートの後半部である。
【図７】本発明の実施形態１にかかる表示部の表示例である。
【図８】本発明の実施形態２にかかる電子血圧計の操作部の平面図である。
【図９（Ａ）】本発明の実施形態２にかかる読出し・表示のフローチャートの前半部である。
【図９（Ｂ）】本発明の実施形態２にかかる読出し・表示のフローチャートの後半部である。
【発明を実施するための形態】
【００１１】
以下、本願発明の趣旨を実現する各実施形態について図面を参照して詳細に説明する。
【実施例１】
【００１２】
図１は、本実施形態にかかる電子血圧計１００の斜視図、図２は、本実施形態１にかかる電子血圧計１００のハードウエア構成を示すブロック図、図３は電子血圧計１００の操作部の平面図である。
【００１３】
本実施形態では、電子血圧計１００の読出し・表示の条件カテゴリーとして、ユーザ「１」およびユーザ「２」、「朝」および「夜」、の２つのカテゴリーを有しているものを例示して説明する。後述するように、条件カテゴリーはこれらに限定されない。
【００１４】
ここで、カテゴリー朝／夜とは、測定した時間帯により区別されるもので、カテゴリー「朝」は午前３時００分〜午前１０時５９分、カテゴリー「夜」は午後６時００分〜午前２時５９分に測定されたデータとして定義される。血圧データの１日のうちの変動を把握するために、一般的に用いられている測定方法に対応した条件カテゴリーである。
【００１５】
図１において、符号１１０は電子血圧計１００の本体、１２０は操作部、１３０は表示部、１４０はカフ、１５０は空気管を示す。図２において、符号２１０は血圧測定部、２２０は記憶部、２３０は電子血圧計１００の動作を制御するＣＰＵ、２４０は時計部を示す。
【００１６】
また、図２における６１０は操作部１２０に配置される測定・停止ボタン、６２０はユーザ選択ボタン、６３０は朝・夜選択ボタン、６４０はデータ前進ボタン、６５０はデータ後退ボタン、６７０は時計設定ボタンである。
【００１７】
操作部１２０、ユーザ選択ボタン６２０、朝・夜選択ボタン６３０、データ前進ボタン６４０／データ後退ボタン６５０のそれぞれが、請求項１に記載の「条件操作部」、「条件データ」、「条件選択手段」、「記憶読出し部」を構成する。
【００１８】
図３は、上記の操作部１２０上の各ボタンのレイアウト例を図示するものである。
【００１９】
まず、電子血圧計１００の動作の概略を説明する。電子血圧計の血圧測定方法としては様々な原理によるものが公知であり、ここではオシロメトリック法を例示して説明するが、本発明の血圧測定方法はこれに限定されない。
【００２０】
ユーザが測定・停止ボタン６１０を押して、ＣＰＵ２３０が測定開始の指示を受信すると、ＣＰＵ２３０は血圧測定部２１０に血圧測定シーケンスを起動する制御信号を送信する。
血圧測定部２１０は、該制御信号を受信すると、空気管１５０を通じてカフ１４０に空気を送り込んで膨張させる。膨張したカフ１４０の圧力変動からカフ圧に重畳された脈波成分を抽出し、この脈波振幅から所定のアルゴリズムにより最高血圧と最低血圧を算出する。
【００２１】
取得した血圧データは、表示部１３０に表示され、同時に、血圧測定部２１０からＣＰＵ２３０を経由して記憶部２２０に格納される。血圧測定部２１０には計時部としての時計部２４０が接続されており、血圧データは、この時計部２４０による時刻データ、すなわち、年月日、時分を示すデータとともに、一つのレコードとして記憶部２２０に格納される。
また、取得した血圧データは、操作部１２０のボタン操作に応じ、例えば、ユーザ「１」
の「朝」データように、ユーザ所望の条件で表示部１３０に表示することができる。
本発明は、この血圧データの表示部１３０への表示方法の改良を主眼としている。
つぎに、図４を参照して、電子血圧計１００の血圧測定動作を詳しく説明する。図４は、本実施形態の血圧測定のフローチャートである。
【００２２】
本実施形態では、１台の電子血圧計１００を複数のユーザで共用可能なように構成されている。ユーザの数は特に限定されないが、ここでは２人（ユーザ「１」およびユーザ「２」）を例示して説明する。
【００２３】
ユーザが測定・停止ボタン６１０を押下すると（Ｓ４１０）、電子血圧計１００は血圧および脈拍を測定し（Ｓ４１２）、表示部１３０に表示する（Ｓ４１４）。ユーザは、必要に応じ体動表示（図７の符号７６４参照）、脈間隔変動表示（図７の符号７６２参照）を確認して、当該データを記憶させたい場合にはユーザ選択ボタン６２０を押下する。この押下の後、測定・停止ボタンの押下をトリガとして、当該データは、記憶部における当該ユーザの格納領域に格納される（Ｓ４１８）。
【００２４】
ちなみに体動表示とは、測定中にユーザの手や手首などが動き、大きな圧力変化が検知された場合には、測定結果に不確実性があるので、測定後表示部に表示してユーザに知らせる機能である。また、脈間隔変動表示とは、測定中の脈の間隔が不規則な場合（いわゆる、不規則脈波ＩＨＢ（Ｉｒｒｅｇｕｌａｒ  Ｈｅａｒｔ  Ｂｅａｔ））には、測定結果に不確実性があるので、測定後表示部に表示してユーザに知らせる機能である。
【００２５】
いずれの場合も測定結果の信頼性が低いので、ユーザは再測定を行うのが好ましい。本機能はそのための用に供する機能である。
【００２６】
ここで、上述においては、ユーザのユーザ選択ボタン６２０の押下を血圧測定の後としたが、これを血圧測定の測定・停止ボタン６１０の押下の直前、あるいは直後で行うようにしてもよい。この場合、上述のように、記憶部への格納のトリガをユーザ選択ボタン６２０の再度の押下で兼用することもできるし、別途格納ボタンを設けるようにしてもよい。
【００２７】
格納すべき血圧データおよび当該血圧データに関連付けられたデータとしては、例えば、年月日、時分「ＴＩＭ」、最高血圧「ＳＢＰ」（Ｓｙｓｔｏｌｉｃ  Ｂｌｏｏｄ  Ｐｒｅｓｓｕｒｅ、ｍｍＨｇ、収縮期血圧ともいう）、最低血圧「ＤＢＰ」（Ｄｉａｓｔｏｌｉｃ  Ｂｌｏｏｄ  Ｐｒｅｓｓｕｒｅ、ｍｍＨｇ、拡張期血圧ともいう）、脈拍数「ＰＬＳ」（／分）とする（Ｓ４１８）。
ついで、記憶部２２０の構成を説明する。図５は，本実施形態にかかる記憶部の構成を示す概念図である。
記憶部２２０は、例えばＲＡＭで構成され、図５のＡＤＤＲｉは当該ＲＡＭのアドレスを、Ｒｉｊは血圧データの１レコードを示している。
記憶部２２０は、ユーザ数に応じ領域区分されており、図５においては、符号３１０がユーザ「１」の記憶部領域、３２０がユーザ「２」の記憶部領域を示している。
そして、図４のフローチャートにおいて、ユーザ「１」が選択され、初めて血圧データ格納の指示がなされたとすると、図５のＡＤＤＲ１に、レコードＲ１１として当該血圧データが測定時刻とともに記憶される。すなわち、Ｒ１１の内容は、
Ｒ１１＝（ＴＩＭ１、ＳＢＰ１、ＤＢＰ１、ＰＬＳ１）
である。
以下、ユーザ１の継続的な測定に対応して、Ｒ１２・・・Ｒ１ｉ・・・Ｒ１ｎとレコードが記憶されていく。図５においては、ユーザ１の測定データがレコードとしてｎ個記憶部２２０に格納されている状態を示している。
上述の動作はユーザ２についても同様であり、図５においては、ユーザ２の血圧データとして、ｍ個のレコード、Ｒ２１、Ｒ２２・・・Ｒ２ｊ・・・Ｒ２ｍが格納されている。
ここで、上述の例では、各ユーザの記憶部領域３１０および３２０に、朝・夜の区別なく時刻順に格納するようにしているが、記憶部領域３１０および３２０のそれぞれに朝領域、夜領域を設け、測定した時点で、時刻に応じ振り分けるように構成してもよい。
次に、本実施形態の読出し・表示動作を説明する。図６（Ａ），（Ｂ）は本実施形態の読出し・表示のフローチャートである。
【００２８】
まずユーザは、ユーザ選択ボタン６２０を押下し（Ｓ５１０）、次いで、朝・夜選択ボタン６３０を押下する（Ｓ５１２）。これらの操作により、２つのカテゴリーについての条件が指定されたことになる。ここでは、ユーザ「１」が、「朝」ボタンを選択したものとする。
【００２９】
次いで、ユーザはデータ前進ボタン６４０かデータ後退ボタン６５０のいずれかを選択して押下する（Ｓ５１４）。
【００３０】
データ前進ボタン６４０が選択された場合、電子血圧計１００は、ユーザ「１」の「朝」カテゴリーに合致するレコードを最も新しいものから順に読出し・表示する（Ｓ５１６）。すなわち、図５において、Ｒ１１〜Ｒ１ｎのうち、ＴＩＭｉで判断して、朝カテゴリーに合致するレコードを選択し、新しい順から逐次表示していく。
【００３１】
あるいは、前述のように、記憶部２２０が朝・夜の記憶部領域を有している場合には、当該領域のレコードを最も新しい順に表示していく。
【００３２】
以下、データ前進ボタン６４０が押下される毎に（Ｓ５１８〜Ｓ５２０）、新しい順に表示して（Ｓ５２２）終了する。
【００３３】
また、データ前進ボタン６４０以外のボタンが押下された場合（Ｓ５２０、あるいは、Ｓ５２４〜Ｓ５２６）には、Ｓ５１６に戻り、再指定された条件でレコードを選択し直し、逐次表示していく。
【００３４】
データ後退ボタン６５０が選択された場合には、上述とは逆に、ユーザ「１」の「朝」カテゴリーに合致するレコードを最も古いものから順に読出し・表示する。以下データ前進ボタン６４０が押下された場合と同様の手順で読出し・表示する。
【００３５】
記憶部２２０の読出し方法は、Ｒ１１とＲ１ｎとがエンドレスにつながるように、すなわち、例えばデータ前進ボタン６４０が選択されていた場合に、Ｒ１１の次はＲ１ｎが読み出されるようにし、循環的に読み出されるように構成してもよい。
【００３６】
また、データ前進ボタン６４０またはデータ後退ボタン６５０が押下され続けた場合には、早送りされるように構成されてもよい。
ここで、図６（Ａ）において、ユーザが朝・夜選択ボタンを押下しないで（すなわち、図６（Ａ）でＳ５１２が省略されて）データ前進ボタンあるいはデータ後退ボタンを押下した場合には、朝・夜の区別なく、図５におけるレコードを最も新しいものから、あるいは最も古いものから順番に読出し・表示させるように構成することも可能である。
【００３７】
図７は、表示部１３０の表示例を図示している。
【００３８】
図７において、符号７２０はユーザ表示部、７３０は朝・夜表示部を示し、選択されたユーザ「１」、「朝」表示が点灯状態となっている。当該表示方法はこれに限らず、操作
部１２０におけるそれぞれのボタンを、それぞれの選択を示すべく点灯させるようにして構成することも可能である。
【００３９】
符号７１２は最高血圧、７１４は最低血圧、７１６は脈拍の測定データを表示している。符号７４２はメモリ表示部であり、記憶部の内容の読出し・表示モードのときに点灯する。
【００４０】
符号７４４は平均表示部であり、後述の、血圧データの平均値を読出し・表示するときに点灯する。
【００４１】
符号７６２、７６４は、それぞれ先述の脈間隔変動、体動を表示する表示部であり、当該変動発生時に点灯する。
【００４２】
符号７８２は、バッテリ残量表示部であり、７７２は時計表示部である。
【００４３】
符号７６０は、血圧値のレベルを示す血圧分類表示部であり、測定した血圧データに対し赤、黄、青の３段階で表示するようにしている。
【００４４】
血圧分類については、国際的に複数の基準が存在するが、例えば日本高血圧学会の「高血圧ガイドライン」では、以下のように規定している。
（Ａ）高血圧の目安：最高血圧値１３５ｍｍＨｇ以上、または、最低血圧値８５ｍｍＨｇ以上
（Ｂ）正常高値の目安：（Ａ）でも（Ｃ）でもない測定値
（Ｃ）正常血圧の目安：最高血圧値１２５ｍｍＨｇ未満、かつ、最低血圧値８０ｍｍＨｇ未満
電子血圧計１００では、（Ａ）を赤色で、（Ｂ）を黄色で、（Ｃ）を青で表示するようにしている。
以上詳述したうように、本発明の電子血圧計および電子血圧計のデータ表示方法によれば、蓄積された血圧データを読出し・表示する場合において、複数の条件カテゴリー（本実施形態では、ユーザ「１」／ユーザ「２」および「朝」／「夜」の２つのカテゴリー）のいずれをも満たすような条件操作を可能とするとともに、操作ボタンの数を極力少なくすることが可能となるという効果を奏することができる。
【実施例２】
【００４５】
図８は、本実施形態の電子血圧計１００の操作部の平面図、図９（Ａ）、（Ｂ）は、本実施形態の読出し・表示のフローチャートを図示している。
【００４６】
図８において、本実施形態の電子血圧計１００の操作部８００には、実施例１の操作部１２０に対し、血圧分類ボタン６６０が追加されている点が異なる。
血圧分類ボタン６６０に表示された、高／中／低の表示は、それぞれ上述の（Ａ）高血圧の目安／（Ｂ）正常高値の目安／（Ｃ）正常血圧の目安に対応している。
血圧測定フローは実施例１と同様であるので、説明を省略する。本実施例でも、実施例１と同様、ユーザは「１」で朝・夜は「朝」が選択されるものとする。
【００４７】
図９（Ａ）を参照して、本実施例では、ユーザ選択ボタン６２０、朝・夜選択ボタン６３０の押下後に（Ｓ９１０〜Ｓ９１２）、血圧分類ボタン６６０を押下可能なように構成している（Ｓ９１４）。朝・夜選択ボタン６３０、血圧分類ボタン６６０の押下する順序は入れ替えてもよい。これらの操作により、３つのカテゴリーについての条件が指定されたことになる。
【００４８】
血圧分類ボタン６６０は、押下されるたびに高→中→低→高とエンドレスで３態様に切り替わるスイッチであり、それぞれの態様に応じ血圧分類が表示部１３０の血圧分類表示部７６０に表示されるようになっている。
【００４９】
血圧分類ボタン６６０が押下され、データ前進ボタン６４０またはデータ後退ボタン６５０が押下されると、電子血圧計１００は、ユーザ「１」かつ「朝」データで、かつ、選択された「高」／「中」／「低」のいずれかの分類に適合する血圧データのレコードを記録部２２０から読み出し、表示部に表示する（Ｓ９１８）。
【００５０】
その後の動作は、実施例１と同様に、データ前進ボタン６４０／データ後退ボタン６５０、血圧分類ボタン６６０、朝・夜選択ボタン６３０、ユーザ選択ボタン６２０の選択の有無によって場合分けされ、条件に適合した表示がなされる（Ｓ９２０〜Ｓ９３０）。
以上説明したように、本発明の電子血圧計および電子血圧計のデータ表示方法によれば、蓄積された血圧データを読出し・表示する場合において、ユーザ「１」／ユーザ「２」、「朝」／「夜」、および、血圧分類「高」／「中」／「低」の３つのカテゴリーのいずれをも満たすような条件操作を可能とするとともに、操作ボタンの数がさらに少なくなるという効果を奏することができる。
【実施例３】
【００５１】
本実施形態は、実施例２において、さらに新たなカテゴリーとして、週・月選択ボタンを設けたものである。
【００５２】
操作部のレイアウトは、図８において、さらに週・月選択ボタンを配置すればよいので図示を省略する。また、読出し・表示のフローについては、図９（Ａ）におけるＳ９１４とＳ９１６との間に、「週・月選択ボタンを押す」のステップを追加し、Ｓ９２０とＳ９２６との間に、「週・月選択ボタンを押す？」のステップを追加すればよいので、図示を省略する。以上のように構成することにより、本実施形態では、４つのカテゴリーについての条件が指定されることになる。
【００５３】
本実施形態では、ユーザ条件として「１」が、朝・夜条件として「朝」が、血圧分類条件として「高」が選択されるものとする。
【００５４】
本実施形態における条件「週」は、週ごとの平均値を算出し、これを週単位で時系列に読出し・表示する条件であり、条件「月」は、月ごとの平均値を算出し、これを月単位で時系列に読出し・表示する条件である。
【００５５】
１週における平均値は、例えば、日曜日から土曜日までの、ユーザ「１」、「朝」、「高」血圧分類の各条件に適合する血圧レコードを読出し、平均値を算出する。１日のうちに当該レコードが複数存在する場合には、あらかじめその平均を算出したのち、週平均を算出すればよい。
【００５６】
また１月における平均値は、例えば、上記で求めた週平均をさらに月ごとに平均して求める。
上記において、週あるいは月を選択する場合に、カレンダーを表示部１３０に表示してユーザが所望の週あるいは月を選択できるように構成してもよい。
以上説明したように、本発明の電子血圧計および電子血圧計のデータ表示方法によれば、蓄積された血圧データを読出し・表示する場合において、ユーザ「１」／ユーザ「２」、「朝」／「夜」、血圧分類「高」／「中」／「低」、および、「週」／「月」の４つのカテゴリーのいずれをも満たすような条件操作を可能とするとともに、操作ボタンの数がさらに少なくなるという効果を奏することができる。
【００５７】
なお、本実施形態の電子血圧計は、上記の構成に限定されるものではなく、種々の変形例や応用例が可能である。
【００５８】
例えば、本実施例では、カテゴリーとして、ユーザ、朝／夜、血圧分類、週／月の４つを例示して説明したが、その他、体動の有／無、ＩＨＢの有／無等をカテゴリーとしてもよいし、またこれらカテゴリーの任意の組み合わせに適用することもできる。
【００５９】
また、本実施形態の電子血圧計は、様々な条件カテゴリーが、カテゴリーにより選択できる条件の数が異なる（例えば、「朝」／「夜」のカテゴリーは条件が２つであるが、血圧分類「高」／「中」／「低」のカテゴリーは条件が３つである）が、全てのカテゴリーで条件選択の操作とデータの送り操作を同じ様に行うことができる。このため、ユーザは複数のカテゴリーの複数の条件をどのように組み合わせてデータを参照するときも同様の操作方法で行うことができ、ユーザは参照したいデータを簡単に表示させて参照することができる。
【００６０】
また、本実施形態では、表示部と操作部を分離した態様を例示して説明したが、操作部をタッチパネル形態とし、表示部に組み込むことも可能である。
【符号の説明】
【００６１】
１００  電子血圧計
１１０  本体
１２０  操作部
１３０  表示部
１４０  カフ
１５０  空気管
２１０  血圧測定部
２２０  記憶部  
２３０  ＣＰＵ
２４０  時計部
３１０  ユーザ１の記憶部領域
３２０  ユーザ２の記憶部領域
６１０  測定・停止ボタン
６２０  ユーザ選択ボタン
６３０  朝・夜選択ボタン
６４０  データ前進ボタン
６５０  データ後退ボタン
６６０  血圧分類ボタン
６７０  時計設定ボタン
７１２  最高血圧表示部
７１４  最低血圧表示部
７１６  脈拍表示部
７２０  ユーザ表示部
７３０  朝・夜表示部
７４２  メモリ表示部
７４４  平均表示部
７６０  血圧分類表示部
７６２  脈間隔変動表示部
７６４  体動表示部
７７２  時計表示部
７８２  バッテリ残量表示部
８００  操作部
Ｒｉ  血圧データのレコード
【図１】
2012200512.tif 000003
【図２】
2012200512.tif 000004
【図３】
2012200512.tif 000005
【図４】
2012200512.tif 000006
【図５】
2012200512.tif 000007
【図６（Ａ）】
2012200512.tif 000008
【図６（Ｂ）】
2012200512.tif 000009
【図７】
2012200512.tif 000010
【図８】
2012200512.tif 000011
【図９（Ａ）】
2012200512.tif 000012
【図９（Ｂ）】
2012200512.tif 000013